(57)【要約】【課題】遊技球が球逃げ部を逆流して入賞口に入賞することを防止できるパチンコ遊技機を提供する。【解決手段】パチンコ遊技機は、遊技盤４に配設され、遊技球を第一の始動口２８又は第二の始動口２９に転動させる第一の球通路Ｒ１及び第二の球通路Ｒ２が内部に形成された始動装置５０を備え、始動装置５０は、始動装置５０の外部から内部へと遊技球を入球可能とする球入口５３ａと、始動装置５０の内部から第一の始動口２８又は第二の始動口２９とは異なる外部へと遊技球を逃がすことが可能な第一から第四の球逃げ部５６ａ〜５７ｂとを備え、第一の球逃げ部５６ａ・第二の球逃げ部５７ａには、遊技球が逃がし方向とは反対の方向に通過することを阻害する障害部７１・７２が設けられる。【選択図】図１０
2015208561.tif 000002
【特許請求の範囲】
【請求項１】
遊技球が入賞可能な第一の入賞口及び第二の入賞口と、
前記第一及び第二の入賞口の上方に設けられ、遊技球を前記第一及び第二の入賞口のそれぞれに振り分け可能な振分部とを備えたパチンコ遊技機であって、
前記振分部は、
遊技球が入球可能な球入口と、
前記第一の入賞口の上方に設けられ、前記球入口に入球した遊技球を第一の球出口から前記第一の入賞口に向けて転動させる第一の球通路と、
前記第二の入賞口の上方に設けられ、前記球入口に入球した遊技球を第二の球出口から前記第二の入賞口に向けて転動させる第二の球通路と、
前記第一及び第二の球通路の分岐部に設けられ、前記球入口に入球した遊技球を前記第一及び第二の球通路の何れかに振り分ける振分部材とを備え、
前記第一の球出口と前記第一の入賞口との間には、前記第一の球出口からの遊技球が前記第一の入賞口に入賞しないように左右のそれぞれに逃がすことが可能な第一の球逃げ部及び第二の球逃げ部が設けられ、
前記第二の球出口と前記第二の入賞口との間には、前記第二の球出口からの遊技球が前記第二の入賞口に入賞しないように左右のそれぞれに逃がすことが可能な第三の球逃げ部及び第四の球逃げ部が設けられ、
前記第一乃至第四の球逃げ部のうち少なくとも一つには、遊技球が当該球逃げ部を逃がし方向とは反対の方向に通過することを阻害する障害部が設けられることを特徴とするパチンコ遊技機。
【発明の詳細な説明】
【技術分野】
【０００１】
本発明は、第一の入賞口及び第二の入賞口に遊技球を振り分けて入賞させるパチンコ遊技機に関する。
【背景技術】
【０００２】
従来、第一の入賞口及び第二の入賞口と、該第一及び第二の入賞口の上方に設けられ、遊技球を第一及び第二の入賞口のそれぞれに振り分け可能な振分部とを備えるパチンコ遊技機が知られている（例えば、特許文献１を参照）。このパチンコ遊技機では、第一及び第二の入賞口として第一及び第二の始動口が用いられ、第一及び第二の始動口に対して第一及び第二の特別図柄がそれぞれ割り付けられる。そして、遊技球を第一及び第二の始動口に交互に振り分け、図柄遊技の権利を最大で８個まで保留可能に構成される。
【先行技術文献】
【特許文献】
【０００３】
【特許文献１】特開２０１３−２０２２４７号公報
【発明の概要】
【発明が解決しようとする課題】
【０００４】
従来のパチンコ遊技機においては、パチンコ遊技機に関する規則の都合上、振分部と第一の入賞口との間に球逃げ部が設けられる。この球逃げ部は、振分部からの遊技球が第一の入賞口に入賞しないように遊技球を逃がすことが可能に設けられたものであり、振分部と第二の入賞口との間にも同様の球逃げ部が設けられる。しかし、この構成では、遊技領域を転動する遊技球が球逃げ部に出口側から進入し、球逃げ部を逆流して第一又は第二の入賞口に入賞するおそれがあった。
【０００５】
本発明は、上記のような問題点に鑑みてなされたものであり、遊技球が球逃げ部を逆流して入賞口に入賞することを防止できるパチンコ遊技機を提供するものである。
【課題を解決するための手段】
【０００６】
本発明の解決しようとする課題は以上の如くであり、次にこの課題を解決するための手段を説明する。
【０００７】
即ち、請求項１においては、遊技球が入賞可能な第一の入賞口及び第二の入賞口と、前記第一及び第二の入賞口の上方に設けられ、遊技球を前記第一及び第二の入賞口のそれぞれに振り分け可能な振分部とを備えたパチンコ遊技機であって、前記振分部は、遊技球が入球可能な球入口と、前記第一の入賞口の上方に設けられ、前記球入口に入球した遊技球を第一の球出口から前記第一の入賞口に向けて転動させる第一の球通路と、前記第二の入賞口の上方に設けられ、前記球入口に入球した遊技球を第二の球出口から前記第二の入賞口に向けて転動させる第二の球通路と、前記第一及び第二の球通路の分岐部に設けられ、前記球入口に入球した遊技球を前記第一及び第二の球通路の何れかに振り分ける振分部材とを備え、前記第一の球出口と前記第一の入賞口との間には、前記第一の球出口からの遊技球が前記第一の入賞口に入賞しないように左右のそれぞれに逃がすことが可能な第一の球逃げ部及び第二の球逃げ部が設けられ、前記第二の球出口と前記第二の入賞口との間には、前記第二の球出口からの遊技球が前記第二の入賞口に入賞しないように左右のそれぞれに逃がすことが可能な第三の球逃げ部及び第四の球逃げ部が設けられ、前記第一乃至第四の球逃げ部のうち少なくとも一つには、遊技球が当該球逃げ部を逃がし方向とは反対の方向に通過することを阻害する障害部が設けられるものである。
【発明の効果】
【０００８】
本発明により、遊技球が球逃げ部を逆流して入賞口に入賞することが可能となる。
【図面の簡単な説明】
【０００９】
【図１】本発明の一実施形態に係るパチンコ遊技機の全体的な構成を示した正面図。
【図２】同じく、パチンコ遊技機の窓枠が開放された状態の構成を示した正面斜視図。
【図３】同じく、パチンコ遊技機の遊技盤の構成を示した正面図。
【図４】パチンコ遊技機における始動装置を示した正面図。
【図５】同じく始動装置の装飾を除いた正面図。
【図６】同じく始動装置を示した斜視図。
【図７】同じく始動装置の構造を示した斜視図。
【図８】同じく始動装置の構造を示した後側斜視図。
【図９】同じく始動装置の組付け状態を示した斜視図。
【図１０】同じく始動装置の組付け状態を示した後側斜視図。
【図１１】始動装置における遊技球の通路を示した断面図。
【図１２】（ａ）及び（ｂ）は始動装置の内部における遊技球の通過状態を示した断面図。
【図１３】（ａ）及び（ｂ）は図５におけるＡ−Ａ線断面図。
【発明を実施するための形態】
【００１０】
次に、発明の実施の形態を説明する。
【００１１】
［パチンコ遊技機］
まず、本発明の一実施形態に係るパチンコ遊技機の全体的な構成について説明する。
なお、以下の説明では、パチンコ遊技機を遊技者から見て、手前側をパチンコ遊技機の前側とし、奥側をパチンコ遊技機の後側として、前後方向を規定する。また、パチンコ遊技機を遊技者から見て、左手側をパチンコ遊技機の左側とし、右手側をパチンコ遊技機の右側として、左右方向を規定する。
【００１２】
パチンコ遊技機は、図１及び図２に示すように、主として、外枠２と、中枠３と、窓枠５と、により構成される枠体に、各種の遊技部品が取り付けられて形成される。
【００１３】
外枠２は、パチンコ遊技機の外郭を成し、前後面が開口された略四角筒状に形成される枠体である。外枠２は、パチンコホール等の遊技場に設けられた台島に設置される。外枠２には、中枠３が設けられる。
【００１４】
中枠３は、前後面が開口された略四角筒状に形成される枠体である。中枠３は、外枠２の前側の開口部にヒンジ等の軸支部材を介して回動可能に支持される。中枠３には、遊技盤４と、窓枠５と、下皿ユニット６と、が設けられる。
【００１５】
遊技盤４は、略平板状に形成された板状部材である遊技板に、各種の遊技部材や装飾部材等が配設されて形成される。遊技盤４は、中枠３の下側を除く略全面に渡って配置される。遊技盤４は、中枠３に着脱可能に取り付けられる。遊技盤４の前側面には、遊技球が転動する領域である遊技領域７が形成される（図３を参照）。
【００１６】
窓枠５は、略平板状に形成される枠体である。窓枠５は、遊技盤４の前方に配置される。窓枠５は、中枠３の前側の開口部にヒンジ等の軸支部材を介して回動可能に支持される。窓枠５の略中央には、略円形状の窓枠開口部８が開口される。窓枠開口部８は、透明板１３により覆われる。これによって、遊技者は、前方から透明板１３を介して窓枠５の後方に配置された遊技盤４（より詳細には、遊技領域７）を視認することができる。窓枠開口部８の下方には、発射前の遊技球が貯溜される上皿９が配設される。窓枠開口部８の左右上方には、スピーカ１０がそれぞれ配設される。
【００１７】
下皿ユニット６は、中枠３の下側であって窓枠５の下方に取り付けられる。下皿ユニット６の略中央には、上皿９から溢れた遊技球が貯溜される下皿１１が配設される。下皿ユニット６の右側部であって下皿１１の右方には、発射ハンドル１２が配設される。発射ハンドル１２は、回動操作されることによって上皿９に貯溜された遊技球を遊技盤４の遊技領域７へ向けて発射可能に構成される。
【００１８】
次に、遊技盤４及び遊技領域７の構成について、図３を用いて説明する。
【００１９】
遊技領域７は、遊技盤４の前側面にガイドレール２０によって区画形成される。ガイドレール２０は、略円弧状に形成された帯状の部材である。ガイドレール２０は、遊技盤４の前側面に正面視で略円形状を形成するように配置される。つまり、遊技領域７は、ガイドレール２０により正面視で略円形状に区画形成される。遊技領域７内には、複数の遊技釘１５が植設される。発射ハンドル１２の回動操作によって遊技領域７内に放出された遊技球は、前記遊技釘１５に衝突しながら当該遊技領域７内を下方へ向けて落下する（転動する）。図３に示す如く、後述する第二の始動口２９（第三の球逃げ部５７ａ）の近傍には、遊技球を可変入賞装置２２に案内するための遊技釘１５ａが植設されている。
【００２０】
遊技盤４における遊技領域７内には、始動装置５０と、大入賞装置２４と、装飾図柄表示装置２７と、が設けられる。また、遊技領域７の外側には、普通図柄表示装置２５と、特別図柄表示装置２６と、が設けられる。
【００２１】
始動装置５０は遊技領域７の中央下部に配置される部材であり、ベース部５１と、ベース部５１の一部分における前側を被覆するカバー部５２とで構成される（図４及び図５を参照）。始動装置５０には本発明に係る第一の入賞口である第一の始動口２８、本発明に係る第二の入賞口である第二の始動口２９、及び、第三始動口３０と、可変入賞装置２２（普通電動役物）とが配設される。なお、本発明における「入賞口」の語句は、パチンコ遊技機における「ゲート」を含む概念として用いている。
【００２２】
第一の始動口２８と第二の始動口２９とはベース部５１とカバー部５２との間に、左右に並んで配設される。第一の始動口２８及び第二の始動口２９は上面が開口されたポケット状に形成され、その内部に遊技球が入球（入賞）可能に構成される。換言すれば、始動装置５０の内部には遊技球を第一の始動口２８又は第二の始動口２９に転動させる通路が形成されている。第一の始動口２８及び第二の始動口２９のそれぞれの内部には、近接スイッチからなる始動口センサ（第一の始動口センサ及び第二の始動口センサ）が配設される。始動口センサは、遊技球が第一の始動口２８又は第二の始動口２９に入賞すると当該入賞を検知して、始動口入賞信号を出力する。後述するように、始動装置５０の上部にはベース部５１とカバー部５２との間に球入口５３ａが形成されており、この球入口５３ａを介して始動装置５０の外部から内部へと遊技球を入球可能とされている。
【００２３】
始動ゲート２３は、遊技領域７内の右側下部に配置される。始動ゲート２３は、上下方向に貫通した平面視略コの字状に形成され、その内側を遊技球が通過可能に構成される。始動ゲート２３の内側には、近接スイッチからなる始動ゲートセンサが配設される。始動ゲートセンサは、遊技球が始動ゲート２３を通過すると当該通過を検知して、始動ゲート通過信号を出力する。始動ゲート２３を遊技球が通過した場合には、普通図柄遊技が行われ、普通図柄遊技の当り判定の結果が当りであると、可変入賞装置２２が作動して普通電動役物遊技が行われる。なお、始動ゲートを可変入賞装置と一体的に構成することも可能である。
【００２４】
可変入賞装置２２は、始動装置５０の中央やや下部に配置される。可変入賞装置２２には、第三始動口３０が設けられる。第三始動口３０は、前面が開口して形成され、その内部に遊技球が入球（入賞）可能に構成される。第三始動口３０の前方は、下端を支点として遊技領域７に対して前後回りに回動可能に支持された板状の可動片が配設される。そして、この可動片が後方（遊技者と反対側）に回動し、第三始動口３０を閉塞している場合、遊技領域７内を転動する遊技球は第三始動口３０に入賞することができない（閉塞状態）。一方、可動片が前方（遊技者側）に回動している場合、遊技領域７内を転動する遊技球は当該可動片に誘導されて第三始動口３０に入賞することができる（開放状態）。なお、本実施形態における可変入賞装置２２は可動片が前後に回動構成としているが、その構成は本実施形態に限定されるものではない。即ち、可変入賞装置を、一対の可動片が左右に開く構成や、一個の可動片が片側に開く構成、ポケット状の部材が前後方向に摺動する構成等、他の構成とすることも可能である。
【００２５】
このように、可変入賞装置２２は、その作動により遊技球が入賞可能な開放状態及び入賞不能な閉塞状態を任意に切り替え可能に構成される。可変入賞装置２２が作動して開放状態になると、第三始動口３０に遊技球が入賞可能となる。第三始動口３０の内部には、近接スイッチからなる始動口センサ（第三始動口センサ）が配設される。始動口センサは、遊技球が第三始動口３０に入賞すると当該入賞を検知して、始動口入賞信号を出力する。
【００２６】
第一の始動口２８、第二の始動口２９又は第三始動口３０に遊技球が入賞すると、後述するように特別図柄４１が変動し、特別図柄遊技が行われる。より詳細には、第一の始動口２８に遊技球が入賞すると第一の特別図柄が変動して特別図柄遊技が行われ、第二の始動口２９又は第三始動口３０に遊技球が入賞すると第二の特別図柄が変動して特別図柄遊技が行われる。そして、特別図柄遊技において大当りと判定されると、以下の如く大入賞口３４が開放状態となる。本実施形態においては、第一及び第二の特別図柄遊技において、それぞれ四個ずつ、合計八個の保留球をパチンコ遊技機の制御装置における記憶部に記憶させる構成としている。保留球の個数は、液晶表示部４２の下方に配設された保留球表示部４５が発光することによって表示され、遊技者が視認できる構成とされる。
【００２７】
大入賞装置２４（特別電動役物）は、遊技領域７内の右側下部における始動ゲート２３の下方に配置される。大入賞装置２４には、大入賞口３４が設けられる。大入賞口３４は、正面視で左右方向に細長い略矩形状であって、遊技領域７を前後方向に貫通して形成される。大入賞口３４は、大入賞口扉３５によって覆われる。大入賞口扉３５は、下端を支点として遊技領域７に対して前後回りに回動可能に支持される。そして、大入賞口扉３５が下端を支点として前回りに回動した場合、遊技領域７内を転動する遊技球が大入賞口３４に入賞することができる（開放状態）。一方、大入賞口扉３５が大入賞口３４を覆っている場合、遊技領域７内を転動する遊技球は大入賞口３４に入賞することができない（閉塞状態）。
【００２８】
このように、大入賞装置２４は、その作動により遊技球が入賞可能な開放状態及び入賞不能な閉塞状態を任意に切り替え可能に構成される。また、大入賞口３４の内部には、近接スイッチからなる大入賞口センサが配設される。大入賞口センサは、遊技球が大入賞口３４（大入賞装置２４）に入賞すると当該入賞を検知して、大入賞口入賞信号を出力する。
【００２９】
普通図柄表示装置２５は、普通図柄３９の変動を表示し、普通図柄遊技の当り判定の結果を表示（報知）する装置である。普通図柄表示装置２５は、遊技領域７内の左下部に配置される。普通図柄表示装置２５には、普通図柄３９を表示するためのドットマトリクス形のＬＥＤ表示部３８が設けられる。普通図柄表示装置２５は、遊技球が始動ゲート２３を通過した場合に行われる普通図柄遊技の当り判定の結果を表示するものである。
【００３０】
特別図柄表示装置２６は、特別図柄４１の変動を表示し、特別図柄遊技において大当りか否かの判定結果を表示（報知）する装置である。特別図柄表示装置２６は、遊技領域７内の左下部であって、普通図柄表示装置２５に隣接して配置される。
【００３１】
装飾図柄表示装置２７は、複数の装飾図柄４３・４３・４３の変動を表示し、装飾図柄遊技の当り判定の結果（特別図柄遊技における判定結果）を表示（報知）する装置である。装飾図柄遊技の当り判定の結果は、特別図柄遊技における判定結果に応じて決定される。装飾図柄表示装置２７には、装飾図柄４３・４３・４３の表示領域としての液晶表示部４２が設けられる。装飾図柄表示装置２７は、液晶表示部４２を前方へ向けた状態で、遊技領域７の略中央に開口された開口部４４に取り付けられる。液晶表示部４２には、左・中・右の３つの変動領域が形成される。３つの変動領域では、装飾図柄４３・４３・４３がそれぞれ独立して変動するように表示される。そして、装飾図柄４３・４３・４３の変動が停止すると、３つの装飾図柄４３・４３・４３が横一列に並んだ状態で表示される。
【００３２】
なお、装飾図柄遊技の当り判定の結果が当りであると、遊技状態が大当り遊技状態へ移行する。ここで、「大当り遊技状態」とは、大入賞装置２４（特別電動役物）が作動して、当該大当り遊技状態となる前の遊技状態（通常の遊技状態）よりも有利となる遊技状態が遊技者に付与された遊技状態を指すものである。また、「大当り遊技」とは、大当り遊技状態での遊技を指すものである。
【００３３】
より詳細には、遊技状態が大当り遊技状態へ移行すると、大入賞装置２４の開放状態と閉塞状態とが連続して切り替えられ、遊技球の大入賞口３４への入賞機会が通常の遊技状態と比較して相対的に増加する。大入賞装置２４の開放状態と閉塞状態との連続した切り替えは、所定の回数（例えば、１５回）だけ行われる。
【００３４】
次に、始動装置５０の構成について、図４から図１３を用いてさらに詳細に説明する。
図７及び図８に示す如く、始動装置５０は遊技盤４に組付けられる板状のベース部５１と、ベース部５１の上側一部分における前側を被覆する板状透明部材のカバー部５２と、後述する搖動部材６１の後方に配設される第一の後カバー部８１と、可変入賞装置２２の後方に配設される第二の後カバー部８２と、可変入賞装置２２における図示しない入賞センサを支持する後ベース部８３と、後ベース部８３に支持され、可変入賞装置２２の可動片を回動させるソレノイド８４と、ソレノイド８４をカバーするソレノイドカバー８５と、で構成される。以下では、ベース部５１とカバー部５２との間に形成される空間を「始動装置５０の内部」と表現する。
【００３５】
ベース部５１の中央下部には前記の如く可変入賞装置２２が配設され、可変入賞装置２２の可動片が前方にしている際に遊技球が第三始動口３０に入賞可能とされている。可変入賞装置２２の左右両側には、可変入賞装置２２が開放状態の際に遊技球を案内するために正面視で略Ｌ字状のガイド部材５８・５８が配設されている。
【００３６】
図９に示す如く、ベース部５１の上下方向中途部には、第一の始動口２８及び第二の始動口２９に対応する第一の通路２８ａ及び第二の通路２９ａが開口されている。第一の通路２８ａ及び第二の通路２９ａは第一の始動口２８又は第二の始動口２９に入賞した遊技球を遊技盤４の後方に案内する。
【００３７】
また、図９に示す如く、ベース部５１の中央上部には後述する搖動部材６１の扇状部６３を収容する凹部５９が後方に窪んで形成されている。凹部５９には搖動部材６１の搖動軸６２の後端部を挿入するための軸支持部６０が形成される。また、凹部５９の後部には、ベース部５１の後側からベース側磁石６８が配設されている。
【００３８】
カバー部５２はその表面に装飾５２ａが施された板状部材である。図４に示す如くカバー部５２は透明に形成されているため、遊技者はカバー部５２の後方を通過する遊技球及びベース部５１を視認することが可能である。装飾５２ａによってカバー部５２の背後の構成が判別し難くなるため、図５においては装飾５２ａを除いて図示している。
【００３９】
図１０に示す如く、カバー部５２の後面における左右両端部から上端部にかけては、後方に突出する側壁部５４・５４が形成される。また、カバー部５２の後面における下部には、後方に突出して遊技球を第一の通路２８ａ又は第二の通路２９ａに案内する樋状の第一の始動口２８及び第二の始動口２９が形成される。より詳細には、第一の始動口２８は、正面視で略Ｕ字状に形成された、第一の始動口２８を区画する壁である第一の始動口壁部２８ｂと、第一の始動口壁部２８ｂの上端で開口する第一の口部２８ｃとで構成される。同じく、第二の始動口２９は、正面視で略Ｕ字状に形成された、第二の始動口２９を区画する壁である第二の始動口壁部２９ｂと、第二の始動口壁部２９ｂの上端で開口する第二の口部２９ｃとで構成される。側壁部５４・５４の上端部の間には間隙が形成され、この間隙とカバー部５２・ベース部５１によって球入口５３ａが形成される。つまり、上方に開口した球入口５３ａを介して遊技球が始動装置５０の内部に入球可能とされている。なお側壁部、第一の始動口２８及び第二の始動口２９をベース部に設ける構成とすることも可能である。側壁部５４・５４のうち、第一の始動口２８及び第二の始動口２９よりも外側に突出する部分は庇部５４ａ・５４ａとして形成されている。なお、庇部５４ａ・５４ａを設けない構成とすることも可能である。
【００４０】
球入口５３ａを介して始動装置５０の内部に入球した遊技球の一部は、側壁部５４・５４と搖動部材６１との間を通過して第一の始動口２８又は第二の始動口２９に案内される。即ち、側壁部５４・５４と搖動部材６１の間の空間が、遊技球を第一の始動口２８又は第二の始動口２９へと転動させる第一の球通路Ｒ１及び第二の球通路Ｒ２を形成している（図１１、図１２（ａ）及び（ｂ）を参照）。
【００４１】
また、側壁部５４と第一の始動口２８との間に形成される間隙とカバー部５２・ベース部５１によって第一の球逃げ部５６ａが形成される。また、第一の始動口２８と規制部６６との間に形成される間隙とカバー部５２・ベース部５１によって第二の球逃げ部５６ｂが形成される。また、側壁部５４と第二の始動口２９との間に形成される間隙とカバー部５２・ベース部５１によって第三の球逃げ部５７ａが形成される。また、第二の始動口２９と規制部６６との間に形成される間隙とカバー部５２・ベース部５１によって第四の球逃げ部５７ｂが形成される。つまり、第一の始動口２８及び第二の始動口２９の何れにも入球しなかった遊技球は、第一から第四の球逃げ部５６ａ〜５７ｂの何れかを介して始動装置５０の外部に案内される。
【００４２】
また、図１０に示す如く、カバー部５２の後面における中央上部には搖動部材６１の搖動軸６２の前端部を挿入するための軸支持孔６５が形成される。また、軸支持孔６５の下方には、後方に突出する波板状の規制部６６が形成される。
【００４３】
搖動部材６１は図１１及び図１２に示す如く、左右に搖動することにより遊技球を左右に案内する部材であり、本発明における振分部材として機能する。搖動部材６１は搖動軸６２と、搖動軸６２の後部上側に形成された扇状部６３と、搖動軸６２の前部上側に形成された三又形状の案内板６４とを備える。搖動軸６２の前端部がカバー部５２に形成された軸支持孔６５に挿入され、搖動軸６２の後端部がベース部５１に形成された軸支持部６０に挿入された状態で、カバー部５２がベース部５１に配設される。つまり、図９及び図１０に示す如く、軸支持部６０、搖動軸６２、及び、軸支持孔６５は軸線ａ１と同一軸上に配設される。これにより、搖動部材６１は始動装置５０の内部で左右に搖動可能に配設される。この際、扇状部６３はベース部５１の凹部５９に収容される。図１２に示す如く、搖動部材６１は規制部６６により左右の搖動角度が規制される。
【００４４】
図１０に示す如く、扇状部６３の後面にはベース側磁石６８と互いに排斥する方向に（Ｎ極とＮ極など、同一の極を対向させた位置関係に）搖動側磁石６７が配設されている。このため、搖動部材６１は右側に搖動した状態（図１２（ａ）に示す状態、以下「右側位置」と記載する）又は左側に搖動した状態（図１２（ｂ）に示す状態、以下「左側位置」と記載する）の何れかの状態となる。そして、搖動部材６１が右側位置の際に、図１２（ａ）中の矢印Ｆ１に示す如く上方から遊技球が落下した場合、遊技球が案内板６４に衝突することにより、又は、遊技球が案内板６４に荷重を加えることにより、搖動部材６１が左側位置へと移動する。この場合、遊技球は案内板６４により図１２（ｂ）中の矢印Ｆ６に示す如く始動装置５０の第一の球通路Ｒ１へと案内される。一方、搖動部材６１が左側位置の際に上方から遊技球が落下した場合、遊技球が案内板６４に衝突することにより搖動部材６１が右側位置へと移動する。この場合、遊技球は案内板６４により図１２（ａ）中の矢印Ｆ２に示す如く始動装置５０の第二の球通路Ｒ２へと案内される。このように、搖動部材６１は遊技球が始動装置５０の球入口５３ａに入球する毎に、遊技球を左右に交互に案内するとともに、自身の左右位置を交互に変更するのである。
【００４５】
本実施形態に係るパチンコ遊技機は図１１に示す如く、第一の始動口２８及び第二の始動口２９の上方に設けられ、遊技球を第一の始動口２８及び第二の始動口２９のそれぞれに振り分け可能な振分部を備える。振分部は、側壁部５４・５４、搖動部材６１、及び規制部６６により形成される。図１１に示す如く、側壁部５４と規制部６６の左端部との間に形成される間隙は、振分部における第一の球出口５３ｂとなる。また、側壁部５４と規制部６６の右端部との間に形成される間隙は、振分部における第二の球出口５３ｃとなる。本実施形態においては、第一の球出口５３ｂの左端と第一の始動口２８の左端との間に形成される間隙を第一の開口５５ａとする。また、第一の球出口５３ｂの右端と第一の始動口２８の右端との間に形成される間隙を第二の開口５５ｂとする。同様に、第二の球出口５３ｃの右端と第二の始動口２９の右端との間に形成される間隙を第三の開口５５ｃと、第二の球出口５３ｃの左端と第二の始動口２９の左端との間に形成される間隙を第四の開口５５ｄとする。第一から第四の開口５５ａ〜５５ｄは、遊技球が通過可能となる大きさに形成される。
【００４６】
図１１に示す如く、球入口５３ａから第一の球出口５３ｂに至る遊技球の経路が第一の球通路Ｒ１として形成され、同じく球入口５３ａから第二の球出口５３ｃに至る遊技球の経路が第二の球通路Ｒ２として形成される。つまり、側壁部５４・５４は第一の球通路Ｒ１及び第二の球通路Ｒ２を区画する壁として機能している。第一の球通路Ｒ１及び第二の球通路Ｒ２は、それぞれ第一の始動口２８及び第二の始動口２９の上方に設けられる。そして、搖動部材６１は、第一の球通路Ｒ１及び第二の球通路Ｒ２の分岐部に設けられ、球入口５３ａに入球した遊技球を第一の球通路Ｒ１及び第二の球通路Ｒ２の何れかに振り分ける振分部材として機能するのである。
【００４７】
このように、振分部は、球入口５３ａと、搖動部材６１と、第一の始動口２８の上方に設けられ、球入口５３ａに入球した遊技球を第一の球出口５３ｂから第一の始動口２８に向けて転動させる第一の球通路Ｒ１と、第二の始動口２９の上方に設けられ、球入口５３ａに入球した遊技球を第二の球出口５３ｃから第二の始動口２９に向けて転動させる第二の球通路Ｒ２と、を備えている。
【００４８】
また、第一の球出口５３ｂと第一の始動口２８との間には、第一の球出口５３ｂからの遊技球が第一の始動口２８に入賞しないように、左右それぞれの逃がし方向の何れかに逃がすことが可能な第一の球逃げ部５６ａ及び第二の球逃げ部５６ｂが設けられる。さらに、第二の球出口５３ｃと第二の始動口２９との間には、第二の球出口５３ｃからの遊技球が第二の始動口２９に入賞しないように、左右それぞれの逃がし方向の何れかに逃がすことが可能な第三の球逃げ部５７ａ及び第四の球逃げ部５７ｂが設けられる。
【００４９】
これにより、図１２（ａ）中の矢印Ｆ２に示す如く始動装置５０の第二の球通路Ｒ２へと案内された遊技球は、第二の球出口５３ｃから振分部を出て、その一部が図１２（ａ）中の矢印Ｆ３に示す如く第二の始動口２９に入球する。第二の始動口２９に入球しなかった遊技球は、図１２（ａ）中の矢印Ｆ４又は矢印Ｆ５に示す如く第三の球逃げ部５７ａ又は第四の球逃げ部５７ｂを介して始動装置５０の外部に案内される。
【００５０】
また、図１２（ｂ）中の矢印Ｆ６に示す如く始動装置５０の第一の球通路Ｒ１へと案内された遊技球は、第一の球出口５３ｂから振分部を出て、その一部が図１２（ｂ）中の矢印Ｆ７に示す如く第一の始動口２８に入球する。第一の始動口２８に入球しなかった遊技球は、図１２（ｂ）中の矢印Ｆ８又は矢印Ｆ９に示す如く第一の球逃げ部５６ａ又は第二の球逃げ部５６ｂを介して始動装置５０の外部に案内される。
【００５１】
図４、図５、及び図１０に示す如く、本実施形態に係るパチンコ遊技機において、始動装置５０の第一の球逃げ部５６ａ・第三の球逃げ部５７ａにおけるカバー部５２の側にはそれぞれ、遊技球の通路の側に向かって突出する障害部７１・７２が設けられる。障害部７１・７２は、始動装置５０の外部から内部へ向かう遊技球を、始動装置５０の内部から外部へ向かう遊技球と比較して通り難くする突出部である。換言すれば障害部７１・７２は、遊技球が第一の球逃げ部５６ａ及び第三の球逃げ部５７ａを逃がし方向とは反対の方向に通過することを阻害する部材である。
【００５２】
具体的には、図５におけるＡ−Ａ線断面図である図１３（ａ）に示す如く、障害部７２（障害部７１も同様・以下同じ）は、始動装置５０の内部側（図１３（ａ）における上側）は斜面７２ａが緩やかに形成され、始動装置５０の外部側（図１３（ａ）における下側）は遊技球の流通方向（図１３（ａ）における矢印Ｆ５の方向）と略直交する平面７２ｂが形成されたリブとして形成される。この障害部７２により、順方向に流通する遊技球は斜面７２ａに当たっても流れを阻害されることはないが、逆方向に流通しようとする遊技球は障害部７２の平面７２ｂに衝突することにより流れが阻害される。つまり、障害部７２は、始動装置５０の外部から内部へ向かう遊技球を、始動装置５０の内部から外部へ向かう遊技球と比較して通り難くしているのである。
【００５３】
本実施形態に係るパチンコ遊技機においては上記の如く構成することにより、遊技球が本来の球入口ではない第三の球逃げ部５７ａを介して第二の始動口２９に入球することを防止している。つまり、球逃げ部５７ａにおいて本来の経路である逃がし方向（右側方）とは反対の方向に通過しようとする遊技球を障害部７２が通り難くすることにより、遊技球が第三の球逃げ部５７ａから始動装置５０に入ることを防止している。特に、本実施形態に係るパチンコ遊技機においては、図３に示す如く第二の始動口２９（第三の球逃げ部５７ａ）の近傍に、遊技球を可変入賞装置２２に案内するための植設されている遊技釘１５ａで跳ねて第三の球逃げ部５７ａから始動装置５０に入ろうとする遊技球の進入を防止できることから、上記の如く第三の球逃げ部５７ａに障害部７２を配設する構成はより好適である。
【００５４】
なお、本実施形態において、障害部７２はカバー部５２に形成される構成としたが、図１３（ｂ）に示す障害部１７２の如く、ベース部５１に形成する構成とすることも可能である。障害部１７２についても障害部７２と同様に、上流側には斜面１７２ａが、下流側には遊技球の流通方向（図１３（ｂ）における矢印Ｆ５の方向）と略直交する平面１７２ｂが形成されている。また、ベース部５１とカバー部５２との両方に障害部を設ける構成とすることも可能である。
【００５５】
さらに、障害部を第三の球逃げ部５７ａの周方向に沿って設けるのではなく、遊技球の流通方向に沿った一本以上の筋状の突出部として設けることも可能である。この場合も、前記の障害部７２と同様に、上流側には斜面が形成され、下流側には遊技球の流通方向と略直交する平面が形成されていれば良い。加えて、障害部を始動装置５０の外部側に回動可能かつ内部側に回動不能に構成された弁板部材として形成することも可能である。このように、障害部は、始動装置５０の外部から内部へ向かう遊技球を、始動装置５０の内部から外部へ向かう遊技球と比較して通り難くする構成であれば良く、その具体的な形状は限定されるものではない。
【００５６】
加えて、障害部７２は第三の球逃げ部５７ａにおいて、始動装置５０における第三の開口５５ｃよりも下流側であれば何処に（例えば、庇部５４ａの下方などに）配設しても差し支えないし、その際、障害部を複数設けてもよい。同様に、第二の球逃げ部５６ｂ（第四の球逃げ部５７ｂ）においても、始動装置５０における第二の開口５５ｂ（第四の開口５５ｄ）よりも下流側であれば何処に配設しても差し支えないし、障害部を複数設けてもよい。
【００５７】
また、上記実施形態においては、障害部７１・７２を第一の球逃げ部５６ａと第三の球逃げ部５７ａに設けるが、これに限定されるものではない。即ち、障害部は、第一から第四の球逃げ部５６ａ〜５７ｂのうち、外側から遊技球が進入するおそれがあるものに設ければ足り、例えば、第一の球逃げ部５６ａのみに設けてもよいし、第一及び第三の球逃げ部５６ａ・５７ａに加えて、又は、代えて、第二及び第四の球逃げ部５６ｂ・５７ｂに設けてもよい。
【符号の説明】
【００５８】
４    遊技盤
２８    第一の始動口（第一の入賞口）
２９    第二の始動口（第二の入賞口）
５０    始動装置
５３ａ  球入口
５３ｂ  第一の球出口
５３ｃ  第二の球出口
５６ａ  第一の球逃げ部
５６ｂ  第二の球逃げ部
５７ａ  第三の球逃げ部
５７ｂ  第四の球逃げ部
７１    障害部
７２    障害部
Ｒ１    第一の球通路
Ｒ２    第二の球通路
【図１】
2015208561.tif 000003
【図２】
2015208561.tif 000004
【図３】
2015208561.tif 000005
【図４】
2015208561.tif 000006
【図５】
2015208561.tif 000007
【図６】
2015208561.tif 000008
【図７】
2015208561.tif 000009
【図８】
2015208561.tif 000010
【図９】
2015208561.tif 000011
【図１０】
2015208561.tif 000012
【図１１】
2015208561.tif 000013
【図１２】
2015208561.tif 000014
【図１３】
2015208561.tif 000015